(57)【要約】【課題】印刷実行の指令発生から印刷動作開始までの時間を短縮することができ、印刷実行の指令後速やかに印刷動作を行うことができる最適な印刷システムを実現する。【解決手段】印刷動作につながる可能性の高い基準信号（例えば、人体検出センサからの人体検出信号）を受信し、この基準信号をトリガーとして印刷の準備作業を開始する。基準信号は、印刷指令信号（印刷ジョブ）とは無関係に発生し得る独立の信号であり、印刷指令信号の発生前に発生するものであるため、印刷指令信号の発生前から準備作業のシーケンスを開始できる。基準信号の他の例として、メディア挿入検出信号、カメラ接続検出信号、画像データ受領開始信号などがある。準備動作の例としては、インクジェットプリンタにおけるヘッドパージ、ワイピング等のメンテナンス動作、ヘッド予熱、サブインクタンクへのインク供給などがある。【選択図】    図４
2005081599.tif 000002
【特許請求の範囲】
【請求項１】
印刷装置の動作を制御する印刷制御装置であって、
印刷の実行を指示する印刷指令信号とは無関係に前記印刷指令信号の発生よりも先に印刷作業の実施を予知させる基準信号を発生させる基準信号発生手段と、
前記基準信号に基づいて印刷準備動作を開始させる準備動作制御手段と、
を備えたことを特徴とする印刷制御装置。
【請求項２】
前記印刷指令信号の発生よりも先に印刷作業の実施を予知させる複数種類の基準信号を発生させる複数の基準信号発生手段を有し、
前記複数種類の信号の中から前記印刷装置の使用状況に応じて前記印刷準備動作の開始トリガーとして使用する基準信号を選別する基準信号選別手段を備えていることを特徴とする請求項１記載の印刷制御装置。
【請求項３】
前記印刷装置の使用状況に応じて前記印刷準備動作の内容を決定する準備動作内容決定手段を備え、
前記準備動作内容決定手段により決定された内容の印刷準備動作を実行させることを特徴とする請求項１又は２記載の印刷制御装置。
【請求項４】
前記基準信号を受信してからの経過時間に応じて前記準備作業の内容を決定する準備動作内容決定手段を備え、
前記準備動作内容決定手段により決定された内容の印刷準備動作を実行させることを特徴とする請求項１又は２記載の印刷制御装置。
【請求項５】
前記基準信号の受信に基づいて経過時間カウントを開始又は前記印刷準備動作を開始した後に、前記基準信号がＯＦＦとなった場合又は前記基準信号を否定する信号を受信した場合に、経過時間カウントのリセットを行う経過時間リセット手段及び当該印刷準備動作を中止させる準備動作中止手段のうち少なくとも一方の手段を備えたことを特徴とする請求項１乃至４の何れか１項に記載の印刷制御装置。
【請求項６】
印刷の実行を指示する印刷指令信号とは無関係に前記印刷指令信号の発生よりも先に印刷作業の実施を予知させる基準信号を発生させる工程と、
前記基準信号を受信し、該受信した基準信号に基づいて印刷準備動作を開始させる工程と、
を含むことを特徴とする印刷制御方法。
【請求項７】
印刷の実行を指示する印刷指令信号とは無関係に前記印刷指令信号よりも先に発生して印刷作業の実施を予知させる基準信号を受信する基準信号受信機能と、
前記受信した基準信号に基づいて印刷準備動作を開始させる制御を行う準備動作制御機能と、をコンピュータに実現させるためのプログラム。
【請求項８】
印刷の実行を指示する印刷指令信号を発生させる印刷指令信号発生手段と、
前記印刷指令信号とは無関係に前記印刷指令信号の発生よりも先に印刷作業の実施を予知させる基準信号を発生させる基準信号発生手段と、
前記基準信号に基づいて印刷準備動作を開始させる準備動作制御手段と、
前記準備動作制御手段の制御に従って印刷準備動作を実行する準備動作実行手段と、
前記印刷指令信号に基づいて前記印刷準備動作の完了後に印刷処理を実行する印刷手段と、
を備えたことを特徴とする印刷装置。
【発明の詳細な説明】
【技術分野】
【０００１】
本発明は印刷制御装置及び方法並びに印刷制御用のコンピュータプログラムに係り、特に印刷の実行指示を与えてから実際に印刷が行われるまでの時間の短縮化を実現するのに好適な印刷制御技術に関する。
【背景技術】
【０００２】
プリンタにおける印刷時間の短縮を目的として、特許文献１には実際の印刷動作の開始に先立って行われる予備的動作を印刷のためのデータ処理と並行して実行する印刷制御方法が提案されている。同文献によれば、印刷の実行指示（印刷ジョブ）の信号を検出した後に印刷前通知を行う通知手段を備える態様が開示されている。更に、同文献には、外部より受信した信号を解析し、その解析結果から当該受信信号が印刷前の準備を行う旨を指示する信号であると判断した場合に所要の準備を実行する態様が開示されている。
【０００３】
また、特許文献２においては、予備的動作を実行するタイミングを任意に設定可能とし、その設定に従い予備的動作を印刷のための処理とは非同期で実行する印刷制御方法が提案されている。
【特許文献１】特開２０００−１６３２２５号公報
【特許文献２】特開２００１−２３９７２４号公報
【発明の開示】
【発明が解決しようとする課題】
【０００４】
しかしながら、特許文献１に開示された手法は、印刷の実行指示の信号を検出した後に印刷前通知を行う通知手段を備える必要があり、また、受信信号を解析する解析手段を備える必要がある。更に、特許文献１における「印刷前通知」及び「印刷前の準備を行う旨を指示する信号」は、印刷の実行指示の信号を検出した後に発生する信号であり、これをトリガーとして準備動作を開始するので、準備動作を早期に終了させることが困難である。
【０００５】
一方、特許文献２に開示された手法では、予備的動作を実行する時刻を設定する手段や、その設定された時刻を判定する手段等が必要であり、また、予備的動作の実行を指示する信号であるか否かの判断手段が必要となる。更には、予備的動作の実行に最適な時刻を利用者自身が判断して、これを適切に設定することは困難である。
【０００６】
本発明はこのような事情に鑑みてなされたもので、印刷実行の指令発生から印刷動作開始までの時間を短縮することができ、印刷実行の指令後速やかに印刷動作を行うことができる最適な印刷システムを実現し得る印刷制御装置、方法、印刷制御用のプログラム及びその印刷制御技術を適用した印刷装置を提供することを目的とする。
【課題を解決するための手段】
【０００７】
本発明は前記目的を達成するために、印刷装置の動作を制御する印刷制御装置であって、印刷の実行を指示する印刷指令信号とは無関係に前記印刷指令信号の発生よりも先に印刷作業の実施を予知させる基準信号を発生させる基準信号発生手段と、前記基準信号に基づいて印刷準備動作を開始させる準備動作制御手段と、を備えたことを特徴とする。
【０００８】
本発明によれば、印刷動作につながる可能性の高い基準信号を受信し、この基準信号をトリガーとして印刷の準備作業を開始する。基準信号は、印刷指令信号とは無関係に発生し得る独立の信号であり、印刷指令信号の発生前に発生するものであるため、印刷指令信号の発生前から準備作業のシーケンスを開始できる。これにより、従来と比較して印刷準備動作の開始タイミングを早めることができ、印刷準備動作を早期に終了させることができる。したがって、印刷指令信号の発生後速やかに印刷動作を行うことが可能である。
【０００９】
なお、本発明において基準信号の受信後直ちに印刷準備動作を開始する態様に限定されず、基準信号の受信後の所定時間経過後に印刷準備動作を開始する態様も含まれる。例えば、基準信号の受信に基づいてタイマーの動作を開始させ、基準信号の受信状態が所定時間継続していることが確認されたら印刷準備動作を開始させる。この場合、所定時間の種類は開始すべき印刷準備動作の種類に応じて１つ以上複数あってもよい。
【００１０】
本発明では、印刷準備動作を開始するトリガーとなる少なくとも１種類の基準信号が定められる。印刷作業の実施を予知させる信号の具体的態様は様々であり、どの信号を基準信号として採用するかについては適宜設計される。
【００１１】
本発明の印刷制御装置において、前記印刷指令信号の発生よりも先に印刷作業の実施を予知させる複数種類の基準信号を発生させる複数の基準信号発生手段を有し、前記複数種類の信号の中から前記印刷装置の使用状況に応じて前記印刷準備動作の開始トリガーとして使用する基準信号を選別する基準信号選別手段を備えている態様が好ましい。
【００１２】
この態様によれば、基準信号として利用することができる複数種類の信号を発生させ得る複数の基準信号発生手段を備えるとともに、印刷装置の使用状況を判断する手段を備えており、使用状況に応じて最適な基準信号が選択される。
【００１３】
また、印刷装置の使用状況に応じてタイマーの所定時間の設定を変更する手段を設ける態様も可能である。これらの態様により、印刷装置の使用状況に応じて準備時間を自動的に最適化することができる。
【００１４】
本発明の他の態様に係る印刷制御装置は、前記印刷装置の使用状況に応じて前記印刷準備動作の内容を決定する準備動作内容決定手段を備え、前記準備動作内容決定手段により決定された内容の印刷準備動作を実行させることを特徴とする。
【００１５】
印刷準備動作の具体的な内容は、対象とする印刷装置の方式・種類或いはシステム構成などに依存し、どのような準備動作を行うかについて適宜設計される。複数種類の準備動作を行い得る構成の場合、印刷装置の使用状況に応じて実施すべき準備動作の内容（組み合わせを含む）が自動的に選択される態様が好ましい。これにより、使用状況に応じて、最も重要度の高い準備作業を優先的に実施することが可能となる。
【００１６】
本発明の更に他の態様に係る印刷制御装置は、前記基準信号を受信してからの経過時間に応じて前記準備作業の内容を決定する準備動作内容決定手段を備え、前記準備動作内容決定手段により決定された内容の印刷準備動作を実行させることを特徴とする。
【００１７】
印刷作業の実施を予知させる基準信号が検出された時点からの時間の経過を管理する手段（時間管理手段）を備え、基準信号検出後の経過時間に応じて各タイミングで実施する印刷準備動作の内容を決定し、その決定された準備動作を実行する態様が好ましい。これにより、時間を要する準備動作を優先して実施することが可能である。
【００１８】
また、本発明に係る印刷制御装置において、前記基準信号の受信に基づいて経過時間カウント開始又は前記印刷準備動作を開始した後に、前記基準信号がオフとなった場合又は前記基準信号を否定する信号を受信した場合に、経過時間カウントのリセットを行う経過時間リセット手段及び当該印刷準備動作を中止させる準備動作中止手段のうち少なくとも一方の手段を備える態様が好ましい。
【００１９】
本発明の他の態様は前記目的を達成するための方法発明を提供する。すなわち、本発明に係る印刷制御方法は、印刷の実行を指示する印刷指令信号とは無関係に前記印刷指令信号の発生よりも先に印刷作業の実施を予知させる基準信号を発生させる工程と、前記基準信号を受信し、該受信した基準信号に基づいて印刷準備動作を開始させる工程と、を含むことを特徴とする。
【００２０】
本発明の更に他の態様は前記目的を達成するためのコンピュータプログラムを提供する。すなわち、本発明に係る印刷制御用のプログラムは、印刷の実行を指示する印刷指令信号とは無関係に前記印刷指令信号よりも先に発生して印刷作業の実施を予知させる基準信号を受信する基準信号受信機能と、前記受信した基準信号に基づいて印刷準備動作を開始させる制御を行う準備動作制御機能と、をコンピュータに実現させるためのプログラムであることを特徴とする。
【００２１】
本発明に係るプログラムは、印刷装置を制御するコンピュータによって実行されることにより所要の機能を実現する。本発明に係るプログラムは、装置内のコンピュータに組み込まれる態様に限らず、インターネットなどの通信回線を利用したダウンロードサービスなどを通じて配布することも可能である。また、本発明に係るプログラムをＣＤ−ＲＯＭその他の記録媒体に記録し、記録媒体を通じて当該プログラムを配布することも可能である。
【００２２】
また、本発明による印刷制御機能を備えた印刷装置を提供するため、本発明に係る印刷装置は、印刷の実行を指示する印刷指令信号を発生させる印刷指令信号発生手段と、前記印刷指令信号とは無関係に前記印刷指令信号の発生よりも先に印刷作業の実施を予知させる基準信号を発生させる基準信号発生手段と、前記基準信号に基づいて印刷準備動作を開始させる準備動作制御手段と、前記準備動作制御手段の制御に従って印刷準備動作を実行する準備動作実行手段と、前記印刷指令信号に基づいて前記印刷準備動作の完了後に印刷処理を実行する印刷手段と、を備えたことを特徴とする。
【発明の効果】
【００２３】
本発明によれば、印刷指令信号とは無関係に前記印刷指令信号よりも先に発生する印刷作業の実施を予知させる基準信号を利用し、この基準信号の受信をトリガーとして印刷準備動作を開始するようにしたので、従来よりも印刷準備動作の開始タイミングを早めることができ、印刷指令信号の発生から印刷動作開始までの時間を短縮できる。これにより、印刷指令後速やかに印刷を行うことが可能になる。
【００２４】
また、本発明において、印刷装置の使用状況に応じて基準信号の選択や印刷準備動作の内容の選択等を行う態様により、準備作業を自動的に最適化することが可能となる。これにより、使用環境に合わせて印刷動作開始までの時間を短くすることができる。
【発明を実施するための最良の形態】
【００２５】
以下添付図面に従って本発明の好ましい実施の形態について詳説する。
【００２６】
図１は本発明の実施形態に係る印刷装置の一例であるプリントサービス装置の外観を示した斜視図である。このプリントサービス装置１０は、利用者自身を被写体として撮影した画像をその場でシール紙等の用紙にプリントして利用者に提供する電子写真プリント装置であり、例えば、アミューズメント施設や店頭などに設置されるセルフ操作式のプリントマシンとして利用される。
【００２７】
図１において、符号１２は反射ミラー、１４は背景部、１６は人体検出センサ、１８は操作盤、２０は表示パネル、２２はメディア挿入部、２４はコイン投入部、２６はコイン戻し口、２８はプリンタ、３０はプリント取出口である。
【００２８】
反射ミラー１２の中央部分はハーフミラーで構成されており、該反射ミラー１２の背後側に不図示の電子撮像装置（例えば、ＣＣＤカメラ）が配設されている。反射ミラー１２は、水平面に対して約４５度の傾斜角で筐体３２に取り付けられており、反射ミラー１２の下方には不図示のディスプレイ（例えば、ＣＲＴや液晶ディスプレイなど）が表示面を上に向けた状態で設置されている。
【００２９】
この不図示のディスプレイには、合成用の背景画像（フレーム画像）や操作案内などの情報が表示される。台３４の上に立つ利用者（不図示）は、反射ミラー１２を介して前記ディスプレイ（不図示）の表示内容を確認できるとともに、撮影される自分の姿を確認することができる。
【００３０】
人体検出センサ１６は、例えば赤外線センサで構成され、台３４の上に立つ利用者の有無を感知する。操作盤１８には、合成用の背景画像の選択を行うための選択操作部、決定ボタン、キャンセルボタン、撮影開始ボタン、プリント実行ボタンなど、利用者が各種の指示を入力するための操作部が設けられている。
【００３１】
また、このプリントサービス装置１０は、デジタルカメラやカメラ付き携帯電話等で撮影して得た画像データのプリントにも対応しており、外部から画像データを取り込む画像データ入力手段としてメディア挿入部２２が設けられている。ＰＣカードやスマートメディア（商標）などに代表される記録媒体（不図示）を当該メディア挿入部２２に装着することにより、その記録媒体から画像データを直接読み込んでプリントアウトすることができる。記録媒体の形態は、特に限定するものではなく、半導体メモリカード、磁気ディスク、光磁気ディスク（ＭＯ）等の種々の形態が可能であり、少なくとも１種類（好ましくは複数種類）の記録媒体の形態に対応するメディアインターフェースが設けられる。
【００３２】
外部から画像データを取り込む手段は、上記した可搬型の記録媒体（リムーバブルメディア）からデータを読み込む態様に限定されず、ＵＳＢやIEEE1394、Bluetooth など有線・無線を問わず、所定の通信方式によってデータの受け渡しが可能な通信インターフェースを利用する態様も可能である。通信インターフェースを介してデジタルカメラやカメラ付き携帯電話などの外部機器と通信接続を行うことにより、外部機器から印刷すべき画像のデータを取得してもよい。
【００３３】
プリントサービス装置１０に内蔵されるプリンタ２８として、本例ではピエゾ素子により駆動される記録ヘッドを用いたインクジェット方式のプリンタが用いられている。本発明の実施に際してプリンタの方式はこれに限定されず、ヒータなどの発熱体によってインクを加熱して気泡を発生させ、その圧力でインク滴を飛ばすサーマルジェット方式のインクジェットプリンタ、感熱発色機能を有する専用の用紙に対してサーマルヘッドと定着ランプとを用いて印画を行うサーモオートクローム（ＴＡ）方式のプリンタ、昇華方式のプリンタなど、各種の方式のプリンタを適用できる。
【００３４】
記録紙にはロール状に巻回された連続用紙が用いられる。紙種は特に限定されず、普通紙の他、用紙の片面に粘着層が形成され、該粘着層が剥離紙で覆われているシール用ペーパーを用いてもよい。好ましくは、複数の紙種を選択的に使用できる構成が好ましい。
【００３５】
プリント終了後は不図示の用紙切断手段によって所定の用紙サイズに切断され、出来上がったプリント物はプリント取出口３０から排出される。
【００３６】
プリントサービスの内容（紙種、サイズ、枚数など）に応じて利用料金が設定されており、利用者は所要の料金をコイン投入部２４から入れ、表示パネル２０や反射ミラー１２に映るディスプレイの操作案内に従って所要の操作を行う。
【００３７】
こうして、利用者自身を被写体として撮影された撮影画像又はメディア挿入部２２に装着した記録媒体から読み込んだ画像がプリンタ２８によってプリントされ、そのプリント物が利用者に提供される。なお、プリントサービス装置１０において不図示の紙幣投入部や紙幣返却口を備え、紙幣の取り扱いが可能な構成としてもよい。
【００３８】
図２はプリントサービス装置１０の要部構成を示すブロック図である。図示のように、このプリントサービス装置１０は、プリンタ２８の動作を制御するプリントデータ制御部３６及びプリント準備作業制御部３８、画像データ入力部４０、データ入力部４２、表示制御部４４、表示部４６、人体検出部４８、決済制御部５０及びこれら各ブロックを統括制御するコントローラ５２を備えている。
【００３９】
図１との対応関係を簡単に説明すると、図２に示した画像データ入力部４０は、プリント対象となる画像データを取得するブロックであり、図１で説明した電子撮像装置及びメディア挿入部２２がこれに相当する。
【００４０】
図２に示したデータ入力部４２は、図１で説明した操作盤１８の各操作部に相当する。図２に示した表示部４６は、図１で説明した反射ミラー１２下方のディスプレイ及び表示パネル２０を含むブロックである。図２に示した人体検出部４８は、図１で説明した人体検出センサ１６とその駆動・検出回路を含むブロックである。人体検出センサ１６の検出信号はコントローラ５２に送られ、準備動作の開始／中断の制御に利用される。
【００４１】
図２に示した決済制御部５０は、図１で説明したコイン投入部２４から投入された金額の把握や釣り銭の計算など決済に必要な演算や返金処理を行う制御部である。なお、本発明の実施に際しては、現金決済に限らず、プリペイドカードやクレジットカードによる決済、或いは携帯電話を利用した電子決済を利用する態様など、各種の決済手段を用いることが可能である。
【００４２】
図２に示したプリントデータ制御部３６は、画像データ入力部４０を介して取得した画像データからプリント制御用の信号を生成するための信号処理機能を有し、生成した信号（プリントデータ）をプリンタ２８に供給することによりプリンタ２８の印字動作を制御する。
【００４３】
プリント準備作業制御部３８はプリンタ２８の準備動作を制御する制御部である。準備動作の内容は、使用されるプリンタの形態によって様々である。インクジェット方式のプリンタにおける準備動作の例としては、記録ヘッドのノズルから増粘インクを吐出排除するヘッドパージ、気泡が混入したノズルからインクを除去する吸引、ヘッド吐出面のワイピング等のメンテナンス動作、記録ヘッドの予熱、サブインクタンクへのインク供給、受像紙（記録紙）搬送路の清掃動作、定着用ヒータの予熱などがある。
【００４４】
コントローラ５２は、中央演算処理装置（ＣＰＵ）及びメモリ、タイマーその他の周辺回路等から構成され、所定のプログラムに従って本プリントサービス装置１０の動作を制御する。
【００４５】
次に、上記の如く構成されたプリントサービス装置１０の動作について説明する。
【００４６】
図３は、本実施形態に係るプリントサービス装置１０の制御例を示したシーケンス図である。同図では人体検出センサ１６による検出信号をプリント作業につながる可能性の高い基準信号として利用する例が示されている。
【００４７】
図３に示したように、人体検出センサ１６によって人物（利用者）の存在が検出されると、その時点から第１タイマー及び第２タイマーの動作を開始させる。第１タイマーに設定されている所定時間ａ1 が経過した時点で人体検出センサ１６からの検出信号が依然として受信されていることを確認した上でコントローラ５２は第１の準備動作としてヘッド予熱の開始を指示する信号を発生する。
【００４８】
また、第２タイマーに設定されている所定時間ａ2 が経過した時点で人体検出センサ１６からの検出信号が依然として受信されていることを確認した上で第２の準備動作としてヘッドパージの指示を行う。
【００４９】
上記した第１及び第２の準備動作の処理と並行して利用者からの操作入力を受け付けており、コントローラ５２は入力されたデータに応じた処理を行う。すなわち、メディア挿入部２２に記録媒体が挿入された場合には、その記録媒体内に記録されている画像ファイルからサムネイルデータを取得して表示部４６に画像を一覧表示させるとともに、プリント対象とする画像の選択操作を受け付ける。利用者は、プリントを希望する画像を指定する操作を行い、プリント実行ボタンを押す。プリント実行ボタンの押下によりプリント指令信号が発生し、該プリント指令信号がコントローラ５２に入力される。
【００５０】
プリント指令信号の受信に応動して記録媒体からプリント指定に係る画像データが読み込まれ、取得した画像データからプリント制御用のデータ（プリントデータ）に変換され、プリントが行われる。
【００５１】
このように、プリント指令信号の受信に先立ち、プリント指令信号とは独立に（無関係に）人体検出センサ１６による人体の検出信号に応動して第１及び第２タイマーを作動させ、所定時間ａ1 、ａ2 経過後にそれぞれ第１及び第２の準備動作を開始するようにしたので、プリント指令信号の受信後、速やかにプリント動作を実施することができる。
【００５２】
なお、反射ミラー１２の背後に設置されている電子撮像装置によって撮影を行い、その撮影画像をプリントする場合には、図３に示したサムネイルデータ受領の処理及びプリント対象の選択動作に代えて、背景画像の選択動作や撮影動作などが行われる。
【００５３】
また、図４に示したように、基準信号である人体検出信号受信後、プリント指令発生までの間に人体検出信号が受信されない又は人体検出信号を否定する信号を受信した場合は、その時点に応じてタイマー動作を中止し、又はタイマー値をリセットし、若しくは、既に準備動作を開示している場合についてはその準備動作を中止する。なお、図４には準備動作が中止される様子が示されている。
【００５４】
図３及び図４で説明したシーケンスを実現する制御手順を示したフローチャートを図５に示す。
【００５５】
制御がスタートすると（ステップＳ１００）、コントローラ５２は人体検出センサ１６からの信号に基づき、利用者たる人物が検出されたか否かの判定を行う（ステップＳ１１０）。人物の存在を示す人体検出信号を受信していなければ、ステップＳ１１０でＮＯ判定となり、ステップＳ１１０の処理を繰り返す。ステップＳ１１０において、人体検出信号が受信されるまで、一定のサイクルで人体検出センサ１６からの信号を監視する。
【００５６】
ステップＳ１１０において人体検出信号を受信し、人物の存在が検出されると、第１タイマー（ａ1 タイマー) の動作を開始させるとともに（ステップＳ１１２）、第２タイマ（ａ2 タイマー）の動作を開始させる（ステップＳ１１４）。
【００５７】
各タイマーの動作開始後、時間経過をカウントし、第１タイマーに設定されている所定時間ａ1 が経過したか否かの判断を行う（ステップＳ１１６）。所定時間ａ1 に達していなければ、ステップＳ１１６の処理を繰り返し、所定時間ａ1 経過後にステップＳ１１８に進む。
【００５８】
ステップＳ１１８では、人体検出信号の受信を確認する。このとき、人体検出信号がオフである場合、すなわち、人体検出信号が受信されていなければ、ａ1 タイマーをリセットして（ステップＳ１２０）、ステップＳ１１０に戻る。
【００５９】
ステップＳ１１８において人体検出信号が依然受信されている場合には、プリンタ２８に対して所定の準備動作Ａ1 （この場合、ヘッドの予熱）を開始させる信号を発生させる（ステップＳ１２２）。そして、この準備動作開始信号に基づいて第１の準備動作Ａ1 が開始される。
【００６０】
準備動作Ａ1 の開始後、人体検出信号の受信の有無を確認し（ステップＳ１２４）、人体検出信号を受信し続けている場合は、ステップＳ１２６に進み、準備動作Ａ1 が終了した否かの判定を行う。ステップＳ１２６において、準備動作Ａ1 が終了していなければ、準備動作Ａ1 を継続するとともに、ステップＳ１２４に戻り、準備動作Ａ1 の実行期間中に人体検出信号の受信の有無を監視する。
【００６１】
ステップＳ１２４において、人体検出信号が受信されなくなった場合には準備動作Ａ1 を中断し（ステップＳ１２８）、ａ1 タイマーをリセットして（ステップＳ１２０）、ステップＳ１１０に戻る。
【００６２】
その一方、ステップＳ１２４において人体検出信号が途切れることなく受信され、ステップＳ１２６において準備動作Ａ1 が正常に完了したことが検出されると、他の準備動作の完了を待ってステップＳ１５０に移行する。
【００６３】
また、ステップＳ１１４において動作を開始した第２タイマーによる第２の準備動作Ａ2 （この場合ヘッドパージ）の制御処理（ステップＳ１３６〜Ｓ１４８）については、上記第１タイマーによる処理（ステップＳ１１２〜ステップＳ１２８）と同様であるため、その説明は省略する。第２タイマーの所定時間ａ2 経過後に準備動作Ａ2 が行われる。
【００６４】
こうして、所要の準備動作Ａ1 、Ａ2 が全て完了したら、ステップＳ１５０において人体検出信号の有無が確認され、人体検出信号が受信されない場合は、ステップＳ１２０に戻る。
【００６５】
ステップＳ１５０において人体検出信号を受信していることが確認されると、プリントデータの受領が終了しているか否かの判定を行う（ステップＳ１５２）。
【００６６】
プリントデータの受領が終了していない場合には、ステップＳ１５０に戻り、プリントデータの受領が終了するまでの期間、人体検出信号の受信を監視する。
【００６７】
ステップＳ１５２においてプリントデータの受領終了が検出されたら、プリント実行の指示を与え（ステップＳ１５４）、プリントを開始する。その後、プリントが終了したか否かを判定し（ステップＳ１５６）、終了していない場合（ＮＯ判定時）は、プリント動作を継続する。ステップＳ１５６において、プリントの終了が検出されるまで、ステップＳ１５６の判断処理を繰り返す。
【００６８】
ステップＳ１５６において、プリントの終了が検出されると（ＹＥＳ判定時）、ａ1 タイマー及びａ2 タイマーをリセットした後（ステップＳ１５８）、スタート（ステップＳ１００）へ戻る（ステップＳ１６０）。
【００６９】
図３乃至図５に示した例では、２種類の準備動作Ａ1 、Ａ2 を例示したが、更に多数の準備動作を行ってもよく、タイマーに設定される所定時間と、準備動作の組み合わせも適宜設計される。
【００７０】
ここでは、基準信号の例として人体検出信号を用いたが、基準信号はこれに限定されない。例えば、メディア挿入検出信号、カメラ接続検出信号、メモリ接続検出信号、画像データ受領開始信号、画像データ受領終了信号、プリント画面選択動作検出信号、料金投入検知信号、接続機器からのプレビュー操作信号などを基準信号とする態様も可能である。
【００７１】
また、これら基準信号となり得る各信号を発生させ得る複数の信号発生手段（センサ等）を設け、装置の使用状況に応じて、これら複数の信号の中から準備動作開始のトリガーとする１つの信号又は複数の信号の組み合わせを自動的に決定するように構成してもよい。
【００７２】
〔他の実施形態：変形例１〕
図５で説明したフローチャートの変形例を図６に示す。図６において図５のフローチャートと対応する処理工程には同一のステップ番号を付してある。すなわち、図５に示したフローチャートの一部（ステップＳ１１６〜Ｓ１２０の部分）を図６に示したステップＳ１１６〜Ｓ１２０で置換する態様も可能である。
【００７３】
図６に示したフローチャートによれば、ステップＳ１１６でＮＯ判定となった場合に、ステップＳ１１７に進む。ステップＳ１１７では、準備否定信号を受信したか否かが判定される。「準備否定信号」は、準備動作を否定する事由に関連して発生する信号であり、基準信号を否定する信号の一つである。かかる否定信号としては、インク不足信号などの他、後述する図７に示すような出力も含む。
【００７４】
図６のステップＳ１１７において、準備否定信号がオンの場合（ＹＥＳ判定時）には、ａ1 タイマー及びａ2 タイマーをリセットして（ステップＳ１２０）、ステップＳ１１０に戻る。その一方、ステップＳ１１７においてＮＯ判定（準備否定信号がオフ）の場合は、ステップＳ１１６に戻る。なお、ステップＳ１１６においてＹＥＳ判定となった場合は、図５で説明したステップＳ１１８に進む。以後の処理については図５と同様である。
【００７５】
図７は否定信号の発生制御手順を示したフローチャートである。同図に示したように、  制御がスタートすると（ステップＳ２００）、コントローラ５２は人体検出センサ１６からの人体検出信号の受信の有無を判定する（ステップＳ２１０）、人体検出信号が受信されていれば、ステップＳ２１０の処理が繰り返される。その一方、人体検出信号が途切れ、ステップＳ２１０においてＮＯ判定となった場合は、ステップＳ２１２に進み、所定時間（Ｔ秒）の経過後に、再び人体検出信号の受信の有無を確認する（ステップＳ２１４）。ステップＳ２１４において、人体検出信号が受信されていない場合（ＮＯ判定時）には、否定信号が出力される（ステップＳ２１６）。
【００７６】
他方、ステップＳ２１４において人体検出信号が検出された場合（ＹＥＳ判定時）には、ステップＳ２１０に戻り、否定信号は出力されない。
【００７７】
〔他の実施形態：変形例２〕
基準信号発生又は準備動作開始からプリント指令発生までの時間差データ、好ましくは準備動作終了時刻とプリント指令発生時刻との時間差データを複数回分蓄積し、この時間差データの統計解析結果に基づいて基準信号の選択を変えたり、タイマーの所定時間の設定を変えたりする態様も可能である。
【００７８】
図８に時間差データの統計解析を利用した処理の一例を示す。同図に示したように、準備動作Ａの終了時刻とプリントデータ受領終了時刻との時間差データを複数回分メモリに蓄積することとし、この時間差データの平均値をｍ（符号の正負が両方あり得る）、その標準偏差をσとしたとき、ｍ＋ｎ×σを０に近づけるように所定時間ａの設定を補正する（ただし、ｎは０及び正の実数とする）。
【００７９】
上記所定時間ａの補正は、一定時間毎、一定のプリント数毎、一定の基準信号発生回数毎、ｍが所定の基準値を超えたとき、外部信号を受信したとき、など様々なタイミングで自動的に又は指示入力に応じて実行することができる。
【００８０】
〔他の実施形態：変形例３〕
準備動作終了又はプリント動作終了から一定時間内に次の基準信号が発生した場合には、一部の（又は全ての）準備動作を省略することにより、無駄な準備動作によるエネルギー浪費やインクなどの消耗品の浪費を防ぐことができる。
【００８１】
図９は、プリント動作終了後の一定時間Ｃ1 秒以内に基準信号（人体検出信号）が発生した場合に、準備動作Ａ1 を実施しないようにした例を示すものである。
【００８２】
〔他の実施形態：変形例４〕
インクジェット方式のプリンタは、インク吐出孔（ノズル）の乾燥防止又はノズル近傍のインク粘度上昇を防止するための手段としてのキャップを備えている。長時間にわたってプリントを実施しない場合（長時間不使用時）などには、記録ヘッドのインク吐出面がキャップで覆われる。
【００８３】
ただし、プリント終了時に基準信号を受信している場合には、基準信号が検出されなくなるまでは記録ヘッドのキャップ動作（インク吐出面をキャップで封止する動作）を実施しないものとする。
【００８４】
これにより、後続プリント動作が発生した場合のプリント開始までの時間を短くすることができる。
【００８５】
〔他の実施形態：変形例５〕
本実施形態に係るプリントサービス装置１０において曜日ごとのプリント実施時刻の実績を記憶し、この稼働実績情報を基にプリント動作発生予測時刻（任意回数）を内蔵プログラムによって算出する。そして、算出されたプリント動作発生予測時刻よりも所定時間前に準備動作を自動的に開始させる態様も可能である。
【００８６】
例えば、図１０のように、各曜日について所定時間間隔毎のプリント指令発生頻度データを所定期間蓄積し、その蓄積データ（ヒストグラム）に基づき、高頻度時刻上位ｎ回をプリント動作発生予測時刻として決定する。なお、「ｎ回」は曜日毎に設定可能にしておくことが好ましい。図１０ではｎ＝８の例が示され、頻度の高い順に上位８つ([1]〜[8])の時刻をプリント動作発生予測時刻としている。そして、各プリント発生予測時刻よりも所定時間前の矢印で示したタイミングを準備動作開始時刻として設定する。
【００８７】
これにより、稼働実績から曜日毎に最適な準備動作開始時刻が自動的に設定され、設定された準備動作開始時刻になると準備動作が自動的に実行される。
【００８８】
〔他の実施形態：変形例６〕
上記した実施形態では利用者を被写体として撮影する機能を備えたプリントサービス装置１０を説明したが、本発明の適用範囲はこれに限定されない。図１１は本発明の実施形態に係る印刷装置の他の例が示されている。
【００８９】
図１１に示した印刷装置は、証明用の写真などを作製するための写真作製装置である。この写真作製装置６０は、仕切壁６１を隔てて撮影室６２と写真作製室６３とに分けられている。撮影室６２には、撮影時に被撮影者が座るための椅子６５が設けられている。仕切壁６１には、照明部６６、撮影窓６７、操作パネル６８、人体検出センサ６９、コイン投入部７０及びコイン戻し口７１が設けられている。また、撮影室６２の入り口側で、写真作製室６３の外側壁面にはプリント取出口７２が設けられている。
【００９０】
写真作製室６３の内部の構造は図示しないが、撮影窓６７の背後にカメラが配置されており、該カメラで撮影した画像をプリンタによってプリントし、その結果物（プリント写真）をプリント取出口７２から排出するようになっている。写真作製装置６０の主要な構成は図２で説明した例と同様であるため、その説明は省略する。
【００９１】
〔他の実施形態：変形例７〕
図１２は本発明の実施形態に係る印刷装置の更に他の例が示されている。図１２に示した印刷装置は、店頭などに設置されるセルフ操作式のプリントマシン（いわゆる、Kiosk マシン) ８０である。
【００９２】
このプリントマシン８０には、表示機能付きタッチパネル８１、人物撮影用のカメラ８２、複数種のメディアに対応したメディア挿入部８３、コイン投入部８４、紙幣投入部８５、人体検出センサ８６、コイン戻し口８７及びプリント取出口８８が設けられている。当該プリントマシン８０の主要な構成は図２で説明した例と同様であるため、その説明は省略する。
【００９３】
図１、図１１及び図１２で例示したように、本発明は様々な形態の印刷装置に適用することが可能である。また、本発明は、単一の装置として構成された独立型（スタンドアローン）の印刷装置に適用してもよいし、複数の機器を組み合わせた印刷システム（例えば、ホストコンピュータとプリンタとをネットワークで接続したシステム）に適用してもよい。
【図面の簡単な説明】
【００９４】
【図１】本発明の実施形態に係る印刷装置の一例であるプリントサービス装置の外観を示す斜視図
【図２】図１に示したプリントサービス装置の要部構成を示すブロック図
【図３】本実施形態に係るプリントサービス装置の制御例を示したシーケンス図
【図４】本実施形態に係るプリントサービス装置の制御例を示したシーケンス図
【図５】本実施形態に係るプリントサービス装置の制御手順を示したフローチャート
【図６】図５で説明したフローチャートの変形例を示すフローチャート
【図７】否定信号の発生制御手順を示したフローチャート
【図８】本発明の他の実施形態による制御例を示したシーケンス図
【図９】本発明の更に他の実施形態による制御例を示したシーケンス図
【図１０】曜日毎のプリント指令発生頻度データからプリント動作発生予測時刻を算出して予備動作開始時刻を設定する例を説明するために用いた図
【図１１】本発明の他の実施形態に係る写真作製装置の外観図
【図１２】本発明の他の実施形態に係るプリントマシンの外観図
【符号の説明】
【００９５】
１０…プリントサービス装置、１６…人体検出センサ、１８…操作盤、２２…メディア挿入部、２４…コイン投入部、２６…コイン戻し口、２８…プリンタ、３０…プリント取出口、３６…プリントデータ制御部、３８…プリント準備作業制御部、４０…画像データ入力部、４８…人体検出部、５０…決済制御部、５２…コントローラ、６０…写真作製装置、６９…人体検出センサ、８０…プリントマシン、８２…カメラ、８３…メディア挿入部、８６…人体検出センサ
【図１】
2005081599.tif 000003
【図２】
2005081599.tif 000004
【図３】
2005081599.tif 000005
【図４】
2005081599.tif 000006
【図５】
2005081599.tif 000007
【図６】
2005081599.tif 000008
【図７】
2005081599.tif 000009
【図８】
2005081599.tif 000010
【図９】
2005081599.tif 000011
【図１０】
2005081599.tif 000012
【図１１】
2005081599.tif 000013
【図１２】
2005081599.tif 000014